(57)【要約】【課題】看護師の処置中には呼び出しや警報の出力を停止することができ、かつ、処置の終了後には看護師が面倒な操作を行うことなく呼び出しや警報の出力を確実に復旧させることができるようにする。【解決手段】呼び出しまたは警報の停止を指示するための停止ボタン４ａと、呼び出しまたは警報の出力の停止／復旧に関する動作を制御する制御部４ｂとを備え、停止ボタン４ａが操作された時点から所定時間だけ呼び出しまたは警報の出力を停止するように制御することにより、看護師が停止ボタン４ａを押下してから処置を行えば、処置中に誤ってナースコール子機のセンサが動作しても、呼び出しや警報の出力が行われることがなくなるようにするとともに、停止ボタン４ａを操作してから所定時間が経過した時点で、呼び出しや警報の出力が自動的に復旧するようにする。【選択図】        図１
2007282878.tif 000002
【特許請求の範囲】
【請求項１】
所定のセンサを備えたナースコール子機において上記センサが所定の状態を感知したときにナースコール親機に呼び出しまたは警報を行うように成されたナースコールシステムにおける誤報防止装置であって、
上記呼び出しまたは警報の停止を指示するための操作部と、
上記操作部が操作された時点から所定時間を計測するタイマと、
上記操作部が操作されたときに上記呼び出しまたは警報の出力を停止し、上記タイマにより上記所定時間が計測されたときに上記呼び出しまたは警報の出力を復旧させるように制御する制御部とを備えたことを特徴とする誤報防止装置。
【請求項２】
上記制御部は、上記ナースコール子機が接続される壁埋込型子機に備えられることを特徴とする請求項１に記載の誤報防止装置。
【請求項３】
上記制御部は、上記ナースコール親機に備えられることを特徴とする請求項１に記載の誤報防止装置。
【請求項４】
上記制御部は、上記ナースコール子機と上記ナースコール親機との間に配線される廊下灯に備えられることを特徴とする請求項１に記載の誤報防止装置。
【請求項５】
上記操作部は、特定のナースコール子機を指定して上記呼び出しまたは警報の停止を指示するように構成され、
上記制御部は、上記操作部により指定されたナースコール子機について、上記呼び出しまたは警報の出力を上記所定時間だけ停止するように制御することを特徴とする請求項３または４に記載の誤報防止装置。
【請求項６】
所定のセンサを備えたナースコール子機において上記センサが所定の状態を感知したときにナースコール親機に呼び出しまたは警報を行うように成されたナースコールシステムにおいて、
上記呼び出しまたは警報の停止を指示するための操作部が操作されたか否かを判定する第１のステップと、
上記操作部の操作が検出されたときに、制御部が上記呼び出しまたは警報の出力を停止するように制御する第２のステップと、
上記呼び出しまたは警報の出力を停止した時点から所定時間をタイマにより計測する第３のステップと、
上記タイマにより上記所定時間が計測されたときに、上記制御部が上記呼び出しまたは警報の出力を復旧させるように制御する第４のステップとを有することを特徴とする誤報防止方法。
【発明の詳細な説明】
【技術分野】
【０００１】
本発明は、誤報防止装置および誤報防止方法に関し、特に、所定のセンサを備えたナースコール子機からナースコール親機に対する誤報を防止するための装置および方法に用いて好適なものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に「患者」と言う）が呼出ボタン等を押下することによって看護師や介護師（以下、単に「看護師」と言う）を呼び出すことができるように成されたシステムである。
【０００３】
多くのナースコールシステムは、ベッドサイドやトイレ、浴室などに設置するナースコール子機と、ナースセンタに設置するナースコール親機と、病室や介護室等の各部屋の入口付近に設置する廊下灯と、通話やデータの送受信に関する制御を行う制御機とを備えて構成されている。最近では、看護師が携帯するＰＨＳ（Personal Handyphone System）端末とＰＢＸ（Private Branch Exchange：電話交換機）とを組み合わせたナースコールシステムも提供されている。
【０００４】
ナースコール子機には、呼出ボタンの押下によって看護師の呼び出しを行うハンド型子機や壁埋込型子機がある。また、呼出ボタンの代わりに特殊なセンサを備えたナースコール子機も提供されている。例えば、先端に備えられた接触センサに触れることで呼び出しを行うことができるように成された子機が存在する。また、音圧センサを備え、息を吹き掛けたり声を出したりすることにより呼び出しを行うことができるように成された子機もある。さらに、光センサを備え、患者の手や動かせる部位で光を遮ることによって呼び出しを行うことができるように成された子機も提供されている。
【０００５】
また、重量センサを備えたマットをベッド下の床に敷き、当該マットに患者が乗ったことを検知することにより、患者の徘徊（またはベッドからの落下）を示す警報を出力するように成された子機も提供されている（例えば、特許文献１，２参照）。また、重量センサを備えたマットをベッド上に敷くことにより、患者が上体を起こしたことを示す警報を出力するようになされた子機も存在する。
【特許文献１】特開２００５−１５９４５９号公報
【特許文献２】特開２００５−３４２２６号公報
【発明の開示】
【発明が解決しようとする課題】
【０００６】
しかしながら、上述の接触センサ、音圧センサ、光センサを備えたナースコール子機の場合、看護師が処置を行う際に、看護師が接触センサに接触したり、声を出したり、手で光を遮ったりした場合でも呼び出しを行ってしまう。また、重量センサを備えたナースコール子機の場合、看護師が処置を行う際にマットに乗った場合でも、患者の徘徊として警報を出力してしまう。
【０００７】
このような不都合を回避するために、看護師が処置を行う際にナースコール子機のスイッチをＯＦＦにすることが考えられる。しかしながら、この場合に看護師は、処置が終了した後にナースコール子機のスイッチを確実にＯＮに復旧させなければならないので、面倒である。また、看護師がナースコール子機のスイッチをＯＮに戻し忘れると、患者が実際に必要とするときに呼び出しや警報が行われなくなってしまうという問題があった。
【０００８】
本発明は、このような問題を解決するために成されたものであり、呼出ボタンの代わりに特殊センサを用いたナースコール子機に関して、看護師の処置中には呼び出しや警報の出力を停止することができ、かつ、処置の終了後には看護師が面倒な操作を行うことなく呼び出しや警報の出力を確実に復旧させることができるようにすることを目的とする。
【課題を解決するための手段】
【０００９】
上記した課題を解決するために、本発明では、ナースコール子機からの呼び出しまたは警報の停止を指示するための操作部と、操作部が操作された時点から所定時間を計測するタイマと、呼び出しまたは警報の出力の停止および復旧に関する動作を制御する制御部とを備え、操作部が操作された時点から所定時間だけ呼び出しまたは警報の出力を停止するようにしている。
【発明の効果】
【００１０】
上記のように構成した本発明によれば、看護師が様々な処置を行う際に操作部を操作すると、呼び出しや警報の出力が停止するので、看護師が処置中に誤ってナースコール子機のセンサを動作させても、呼び出しや警報の出力が行われることがなくなり、誤報を防ぐことができる。また、操作部を操作してから所定時間が経過すると、呼び出しや警報の出力が行われる状態に自動的に復旧するので、処置の終了後には、看護師が面倒な操作を行うことなく、呼び出しや警報の出力を確実に復旧させることができる。
【発明を実施するための最良の形態】
【００１１】
以下、本発明の一実施形態を図面に基づいて説明する。図１は、本実施形態によるナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１２】
図１において、１はナースコール親機であり、例えばナースセンタに設置される。２は制御機であり、通話やデータの送受信に関する制御を行う。３は病室毎に設置される廊下灯であり、病室内の患者名が表示されるとともに、病室内の患者が看護師の呼び出しを行うと、呼び出しが行われたことが表示されるようになっている。
【００１３】
４は壁埋込型子機であり、病室の各ベッドサイドの壁に埋め込み設置される。この壁埋込型子機４は、廊下灯３に接続されている。なお、図１では１つの廊下灯３に対して１つの壁埋込型子機４が接続されているが、実際には病室内のベッド数と同じ数だけ複数の壁埋込型子機４が１つの廊下灯３に接続されている。
【００１４】
５はベッドサイド子機であり、接触センサ、音圧センサ、光センサの少なくとも１つを備え、これらのセンサにより所定の状態を検知することによって看護師の呼び出しを行うことができるように構成されている。このベッドサイド子機５によれば、患者がベッドサイド子機５の先端部に触れたという状態を接触センサで検知することにより看護師の呼び出しを行うことができる。また、患者が息を吹き掛けたり声を出したりしたという状態を音圧センサで検知することにより看護師の呼び出しを行うことができる。また、患者が手や動かせる部位で光を遮ったという状態を光センサで検知することにより看護師の呼び出しを行うことができる。
【００１５】
６はマットセンサであり、重量センサを備えている。このマットセンサ６は、例えばベッド下の床に敷いて使用する。マットセンサ６は、マットの上に患者が乗ったことを重量センサにより検知して、患者の徘徊（またはベッドからの落下）を示す警報を出力するように成されている。なお、マットセンサ６をベッドの上に敷いて使用することにより、患者の離床を検知して警報を出力するようにすることも可能である。
【００１６】
これらのベッドサイド子機５およびマットセンサ６は、壁埋込型子機４に接続されている。壁埋込型子機４は、ベッドサイド子機５やマットセンサ６を接続するための接続端子を備えている。また、壁埋込型子機４は、ベッドサイド子機５による看護師の呼び出しおよびマットセンサ６による警報出力の停止を指示するための停止ボタン４ａ（本発明の操作部に相当する）を備えている。この停止ボタン４ａを押下すると、ベッドサイド子機５による看護師の呼び出しおよびマットセンサ６による警報出力が所定時間だけ停止するようになっている。これに関する構成の詳細については後述する。
【００１７】
７はハンディナースコール主装置であり、各看護師が所持するＰＨＳ端末１１を用いた通話やデータの送受信に関する制御を行う。このハンディナースコール主装置７は、例えば病院内の通信センタに設置され、ナースコール親機１と接続されている。８は構内交換機（ＰＢＸ）、９は公衆網、１０はＰＨＳ端末１１と通信するための無線基地局である。
【００１８】
ハンディナースコール主装置７に接続されているナースコール親機１は、壁埋込型子機４を識別するための識別情報（またはこれを使用する患者の識別情報）と、その患者を担当する看護師を識別するための識別情報とを関連付けたテーブル情報を記憶している。また、ナースコール親機１は、上述の看護師の識別情報と、その看護師が所持するＰＨＳ端末１１を識別するための端末番号とを関連付けたテーブル情報も記憶している。
【００１９】
患者がベッドサイド子機５を利用して看護師の呼び出しを行うと、ベッドサイド子機５に接続された壁埋込型子機４の識別情報と呼出信号とが廊下灯３から制御機２を介してナースコール親機１に送信される。このときナースコール親機１は、上述のテーブル情報を参照して、呼び出しを行った患者の担当看護師を特定する。そして、ハンディナースコール主装置７に指示を出して、特定した担当看護師のＰＨＳ端末１１に対して呼び出しをかけるようになっている。
【００２０】
図２は、壁埋込型子機４の構成例を示す図である。なお、ここでは本実施形態の内容に関係する部分のみを抜粋して示している。図２に示すように、壁埋込型子機４は、停止ボタン４ａ、制御部４ｂ、タイマ４ｅ、抵抗４ｆ、子機インタフェース部４ｇおよび廊下灯インタフェース部４ｈを備えている。また、制御部４ｂは、スイッチ切替部４ｃおよびスイッチ４ｄを備えている。
【００２１】
子機インタフェース部４ｇは、ベッドサイド子機５やマットセンサ６との間で信号のやり取りをするものである。廊下灯インタフェース部４ｈは、廊下灯３との間で信号のやり取りをするものである。抵抗４ｆは、壁埋込型子機４に固有の抵抗値を有するものである。ベッドサイド子機５の各種センサで上述した所定の状態が検知されたり、マットセンサ６の重量センサで患者がマット上に乗ったことが検知されたりすると、子機インタフェース部４ｇから抵抗４ｆを介して廊下灯インタフェース部４ｈに信号が出力される。この信号の電流値は、抵抗４ｆの抵抗値に応じて決まるので、壁埋込型子機４毎にユニークな値となる。
【００２２】
廊下灯３は、廊下灯インタフェース部４ｈを通じて供給される信号の電流値に応じて、どの壁埋込型子機４からの信号であるか、すなわち、どの患者のベッドサイド子機５またはマットセンサ６からの信号であるかを特定する。また、信号の内容に応じて、ベッドサイド子機５からの信号であるかマットセンサ６からの信号であるかを特定する。そして、ベッドサイド子機５からの信号であるときは呼出信号を壁埋込型子機４の識別情報と共に制御機２を介してナースコール親機１に送信する。一方、マットセンサ６からの信号であるときは警報信号を壁埋込型子機４の識別情報と共に制御機２を介してナースコール親機１に送信する。
【００２３】
なお、ここでは、廊下灯３が電流値に応じて壁埋込型子機４を識別する例について説明しているが、これに限定されない。例えば、廊下灯３が複数の入力ポートを持ち、それぞれの入力ポートに対して壁埋込型子機４が別々に接続されるような場合には、どの入力ポートから信号が入力されたかに応じて、どの壁埋込型子機４からの信号であるかを特定することが可能である。
【００２４】
また、ここでは、呼出信号または警報信号と壁埋込型子機４の識別情報とを廊下灯３で生成してナースコール親機１に送信する例について説明したが、これに限定されない。例えば、壁埋込型子機４にて呼出信号または警報信号と自身の識別情報とを生成して送信するようにしても良い。また、ベッドサイド子機５にて呼出信号と自身の識別情報とを生成し、マットセンサ６にて警報信号と自身の識別情報とを生成するようにしても良い。
【００２５】
制御部４ｂは、停止ボタン４ａが操作されたときに、ベッドサイド子機５による看護師の呼び出しおよびマットセンサ６による警報の出力を所定時間だけ停止するように制御する。具体的には、停止ボタン４ａが操作されたときに、スイッチ切替部４ｃがスイッチ４ｄをオフにして、子機インタフェース部４ｇからの信号が廊下灯インタフェース部４ｈに伝わらないようにする。
【００２６】
タイマ４ｅは、スイッチ切替部４ｃによりスイッチ４ｄがオフにされた時点から所定時間のカウント動作を開始する。そして、タイマ４ｅにより所定時間が計測されたときに、スイッチ切替部４ｃがスイッチ４ｄをオンに戻して、呼び出しまたは警報の出力を復旧させるようにする。すなわち、子機インタフェース部４ｇからの信号が廊下灯インタフェース部４ｈに送られるようにする。なお、ここで計測する所定時間は、看護師が処理をするのに要する時間を考慮してあらかじめ設定された時間である。
【００２７】
なお、ここではハードウェア的なスイッチ４ｄの切り替えによって呼び出しおよび警報出力の停止／復旧を制御するようにしているが、これに限定されない。例えば、ソフトウェアの動作によって呼び出しおよび警報出力の停止／復旧を制御するようにしても良い。
【００２８】
図３は、以上のように構成した本実施形態による壁埋込型子機４の動作例を示すフローチャートである。図３において、スイッチ切替部４ｃは、停止ボタン４ａが操作されたか否かを判定する（ステップＳ１）。ここで、停止ボタン４ａが操作されたと判断した場合、スイッチ切替部４ｃは、スイッチ４ｄをオフにすることにより、呼び出しまたは警報の出力を停止するように制御する（ステップＳ２）。
【００２９】
このように呼び出しまたは警報の出力を停止した時点で、タイマ４ｅは、所定時間の計時動作を開始する（ステップＳ３）。そして、スイッチ切替部４ｃは、所定時間が経過したかどうかを判定する（ステップＳ４）。ここで、所定時間にまだ満たない場合は、ステップＳ３に戻って計時動作を継続する。一方、所定時間が経過したと判断した場合は、スイッチ切替部４ｃはスイッチ４ｄをオンに戻して、呼び出しまたは警報の出力を復旧させるようにする（ステップＳ５）。
【００３０】
なお、以上では停止ボタン４ａ、制御部４ｂおよびタイマ４ｅを壁埋込型子機４に設ける例について説明したが、廊下灯３に設けるようにしても良い。図４は、廊下灯３に停止ボタンと制御部とタイマとを設けた場合の構成例を示す図である。図４に示す例において、廊下灯３は、停止ボタン３ａ、制御部３ｂ、タイマ３ｅ、子機インタフェース部３ｆ、呼出信号発生部３ｇ、警報信号発生部３ｈ、識別情報発生部３ｉおよび制御機インタフェース部３ｊを備えている。また、制御部３ｂは、スイッチ切替部３ｃおよびスイッチ３ｄを備えている。
【００３１】
子機インタフェース部３ｆは、廊下灯３に接続されている複数の壁埋込型子機４との間で信号のやり取りをするものである。図４に示すように、複数の壁埋込型子機４は、子機インタフェース部３ｆが持つ１つの入力ポートから配線を分岐するようにして接続されているが、各壁埋込型子機４から子機インタフェース部３ｆに入力される信号の電流値はそれぞれ異なるものとなっている。制御機インタフェース部３ｊは、制御機２との間で信号のやり取りをするものである。
【００３２】
呼出信号発生部３ｇは、ベッドサイド子機５からの信号が壁埋込型子機４を介して子機インタフェース部３ｆに入力されたときに、呼出信号を発生する。警報信号発生部３ｈは、マットセンサ６からの信号が壁埋込型子機４を介して子機インタフェース部３ｆに入力されたときに、警報信号を発生する。識別情報発生部３ｉは、ベッドサイド子機５またはマットセンサ６からの信号が壁埋込型子機４を介して子機インタフェース部３ｆに入力されたときに、その信号の電流値に応じて、どの壁埋込型子機４からの信号であるかを特定して、特定した壁埋込型子機４の識別情報を発生する。
【００３３】
すなわち、ベッドサイド子機５の各種センサで上述した所定の状態が検知されると、そのベッドサイド子機５が接続されている壁埋込型子機４から廊下灯３に信号が出力される。これに応じて、呼出信号発生部３ｇにより呼出信号が発生されるとともに、識別情報発生部３ｉにより壁埋込型子機４の識別情報が発生され、制御機インタフェース部３ｊに出力される。
【００３４】
また、マットセンサ６の重量センサで患者がマット上に乗ったことが検知されると、そのマットセンサ６が接続されている壁埋込型子機４から廊下灯３に信号が出力される。これに応じて、警報信号発生部３ｈにより警報信号が発生されるとともに、識別情報発生部３ｉにより壁埋込型子機４の識別情報が発生され、制御機インタフェース部３ｊに出力される。
【００３５】
制御部３ｂは、停止ボタン３ａが操作されたときに、ベッドサイド子機５による看護師の呼び出しおよびマットセンサ６による警報の出力を所定時間だけ停止するように制御する。具体的には、停止ボタン３ａが操作されたときに、スイッチ切替部３ｃがスイッチ３ｄをオフにして、呼出信号発生部３ｇ、警報信号発生部３ｈ、識別情報発生部３ｉからの信号が制御機インタフェース部３ｊに伝わらないようにする。
【００３６】
タイマ３ｅは、スイッチ切替部３ｃによりスイッチ３ｄがオフにされた時点から所定時間のカウント動作を開始する。そして、タイマ３ｅにより所定時間が計測されたときに、スイッチ切替部３ｃがスイッチ３ｄをオンに戻して、呼び出しまたは警報の出力を復旧させるようにする。すなわち、呼出信号発生部３ｇ、警報信号発生部３ｈ、識別情報発生部３ｉからの信号が制御機インタフェース部３ｊに送られるようにする。
【００３７】
なお、ここではハードウェア的なスイッチ３ｄの切り替えによって呼び出しおよび警報出力の停止／復旧を制御するようにしているが、これに限定されない。例えば、ソフトウェアの動作によって呼び出しおよび警報出力の停止／復旧を制御するようにしても良い。
【００３８】
また、図４のような構成では、子機インタフェース部３ｆに接続されている複数の壁埋込型子機４の全てについて、一括して呼び出しおよび警報出力の停止／復旧が制御される。これに対して、子機インタフェース部３ｆに接続されている複数の壁埋込型子機４のそれぞれについて、個別に呼び出しおよび警報出力の停止／復旧を制御できるようにするために、次の図５のように廊下灯３を構成するようにしても良い。
【００３９】
図５は、廊下灯３に停止ボタンと制御部とタイマとを設けた場合の他の構成例を示す図である。なお、この図５において、図４に示した構成要素と同一の機能を有する構成要素には同一の符号を付している。
【００４０】
図５に示す例では、子機インタフェース部３ｆ（入力ポート）が複数設けられており、それぞれの子機インタフェース部３ｆに対して壁埋込型子機４が１つずつ個別に接続されている。また、それぞれの子機インタフェース部３ｆに対応して、呼出信号発生部３ｇ、警報信号発生部３ｈ、識別情報発生部３ｉ、スイッチ３ｄも複数組備えられている。
【００４１】
また、図５の例では、停止ボタンとして、一括停止ボタン３ａ-1と個別停止ボタン３ａ-2との２つを備えている。制御部３ｂのスイッチ切替部３ｃは、一括停止ボタン３ａ-1が操作されたときは、複数のスイッチ３ｄを全てオフにして、どの入力ポートに対応する呼出信号発生部３ｇ、警報信号発生部３ｈ、識別情報発生部３ｉからの信号も、制御機インタフェース部３ｊに伝わらないようにする。
【００４２】
また、制御部３ｂのスイッチ切替部３ｃは、個別停止ボタン３ａ-2が操作されたときは、その個別停止ボタン３ａ-2の操作により指定されたスイッチ３ｄのみをオフにして、そのオフにされたスイッチ３ｄに対応する呼出信号発生部３ｇ、警報信号発生部３ｈ、識別情報発生部３ｉからの信号が制御機インタフェース部３ｊに伝わらないようにする。なお、個別停止ボタン３ａ-2は、例えば子機インタフェース部３ｆの数と同数設けられていて、その何れかを押下することによって、オフにするスイッチ３ｄ（すなわち、呼び出しまたは警報出力の停止対象とする壁埋込型子機４）を指定することが可能である。
【００４３】
タイマ３ｅは、スイッチ切替部３ｃによりスイッチ３ｄがオフにされた時点から所定時間のカウント動作を開始する。そして、タイマ３ｅにより所定時間が計測されたときに、スイッチ切替部３ｃがスイッチ３ｄをオンに戻して、呼び出しまたは警報の出力を復旧させるようにする。すなわち、呼出信号発生部３ｇ、警報信号発生部３ｈ、識別情報発生部３ｉからの信号が制御機インタフェース部３ｊに送られるようにする。
【００４４】
なお、図５の例では、子機インタフェース部３ｆ、呼出信号発生部３ｇ、警報信号発生部３ｈ、識別情報発生部３ｉ、スイッチ３ｄを複数組備える例について説明したが、これらを１組だけで構成することも可能である。この場合は、識別情報発生部３ｉにて発生された識別情報をスイッチ切替部３ｃに供給する。そして、スイッチ切替部３ｃが、この識別情報に基づいてスイッチ３ｄをオフにするかどうかを制御する。
【００４５】
すなわち、一括停止ボタン３ａ-1が操作された場合には、スイッチ切替部３ｃは、識別情報発生部３ｉから供給される識別情報によらず、スイッチ３ｄをオフにする。一方、個別停止ボタン３ａ-2が操作されたとき場合には、スイッチ切替部３ｃは、識別情報発生部３ｉから供給される識別情報が、個別停止ボタン３ａ-2の操作により指定された壁埋込型子機４を表すものであるときにのみスイッチ３ｄをオフにする。
【００４６】
なお、ここではハードウェア的なスイッチ３ｄの切り替えによって呼び出しおよび警報出力の停止／復旧を制御するようにしているが、これに限定されない。例えば、ソフトウェアの動作によって呼び出しおよび警報出力の停止／復旧を制御するようにしても良い。
【００４７】
以上詳しく説明したように、本実施形態では、停止ボタンが操作された時点から所定時間だけ呼び出しまたは警報の出力を停止するようにしている。これにより、看護師が様々な処置を行う際に停止ボタンを操作すると、呼び出しや警報の出力が停止するので、看護師が処置中に誤ってベッドサイド子機５やマットセンサ６を動作させても、呼び出しや警報の出力が行われることがなくなり、誤報を防ぐことができる。また、停止ボタンを操作してから所定時間が経過すると、呼び出しや警報の出力が自動的に復旧するので、処置の終了後に看護師が面倒な操作を行うことなく、呼び出しや警報の出力を確実に復旧させることができる。
【００４８】
なお、上記実施形態では、停止ボタンと制御部とタイマとを壁埋込型子機４または廊下灯３に設ける例について説明したが、これに限定されない。例えば、制御機２やナースコール親機１、ハンディナースコール主装置７に設けるようにしても良い。制御機２に設ける場合、廊下灯３から受け取った呼出信号または警報信号と識別情報とをナースコール親機１に送信する信号処理経路の途中に、例えば図４または図５のような制御部３ｂとタイマ３ｅとを設ける。
【００４９】
また、ナースコール親機１に設ける場合、呼出信号または警報信号と識別情報とをハンディナースコール主装置７に送信する信号処理経路の途中に、例えば図４または図５のような制御部３ｂとタイマ３ｅとを設ける。また、ハンディナースコール主装置７に設ける場合、呼出信号または警報信号と識別情報とを無線基地局１０を介してＰＨＳ端末１１に送信する信号処理経路の途中に、例えば図４または図５のような制御部３ｂとタイマ３ｅとを設ける。
【００５０】
また、停止ボタンと、制御部およびタイマとは別の場所に設けるようにしても良い。例えば、停止ボタンはナースコール親機１に設け、制御部およびタイマは廊下灯３に設けるようにしても良い。この場合、ナースコール親機１の停止ボタンが押下されたときに、当該停止ボタンが押下されたことを示す信号を、制御機２を介して廊下灯３に送信する。そして、廊下灯３の制御部がこの信号を受けて、呼び出しまたは警報出力を所定時間だけ停止するように制御する。
【００５１】
また、呼び出しや警報を停止させる所定時間は、上述のようにあらかじめ定めた固定の時間であっても良いし、可変の時間であっても良い。例えば、看護師が行う処置の種類によって所定時間を設定できるようにしても良い。具体的には、食事、点滴準備、注射、体位変換などによって異なる所定時間を設定する。
【００５２】
また、呼び出しや警報を示す音声の出力のみを停止し、呼び出しや警報を示す表示は行うようにしても良い。
【００５３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５４】
本発明は、ナースコール子機が所定のセンサを備え、当該センサが所定の状態を感知したときにナースコール親機に呼び出しまたは警報を行うように成されたナースコールシステムに有用である。
【図面の簡単な説明】
【００５５】
【図１】本実施形態によるナースコールシステムの全体構成例を示す図である。
【図２】本実施形態による壁埋込型子機の構成例を示す図である。
【図３】本実施形態による壁埋込型子機の動作例を示すフローチャートである。
【図４】本実施形態による廊下灯の構成例を示す図である。
【図５】本実施形態による廊下灯の他の構成例を示す図である。
【符号の説明】
【００５６】
１  ナースコール親機
２  制御機
３  廊下灯
３ａ  停止ボタン
３ｂ  制御部
３ｃ  スイッチ切替部
３ｄ  スイッチ
３ｅ  タイマ
４  壁埋込型子機
４ａ  停止ボタン
４ｂ  制御部
４ｃ  スイッチ切替部
４ｄ  スイッチ
４ｅ  タイマ
５  ベッドサイド子機
６  マットセンサ
７  ハンディナースコール主装置
【図１】
2007282878.tif 000003
【図２】
2007282878.tif 000004
【図３】
2007282878.tif 000005
【図４】
2007282878.tif 000006
【図５】
2007282878.tif 000007